【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】  密閉したハウジングの内部に筒形のフィルタエレメントを収容し、エア供給口部を通して前記フィルタエレメントの外側（又は内側）にエアを供給するとともに、前記フィルタエレメントの内側（又は外側）からエア排出口部を通してエアを排出するフィルタ用ケースにおいて、一端に前記エア供給口部を設け、かつ他端に前記エア排出口部を設けた直管ユニットを、前記フィルタエレメントの軸方向に対して直角に配設し、前記直管ユニットの中間部に設けた第一開孔部を、接続管部を介して前記フィルタエレメントの内側に連通させるとともに、前記第一開孔部と前記エア供給口部（又は前記エア排出口部）間を閉塞部により閉塞し、かつ前記閉塞部と前記エア供給口部（又は前記エア排出口部）間に設けた第二開孔部を、前記フィルタエレメントの外側に連通させることを特徴とするフィルタ用ケース。
【請求項２】  前記直管ユニットは、筒形のエア排出口部と、筒形の直管部と、この直管部の一端部を閉塞する前記閉塞部及び周部に切欠（開口を含む）による前記第二開孔部を有する開孔体部と、筒形のエア供給口部とを、同軸上で順次結合して構成することを特徴とする請求項１記載のフィルタ用ケース。
【請求項３】  前記直管部における周部の上端には、上方に突出した管状の測定口部を備えることを特徴とする請求項２記載のフィルタ用ケース。
【請求項４】  前記接続管部は、一端に前記第一開孔部に接続するフランジ部を有し、かつ他端に底部を有するとともに、少なくとも周部に一又は二以上の通気口を形成した筒形の第一送気管部と、前記通気口を前記フィルタエレメントの内側に連通接続する第二送気管部により構成することを特徴とする請求項１記載のフィルタ用ケース。
【請求項５】  前記第二送気管部の一端に、前記フィルタエレメントの一端部を保持する保持部を設けるとともに、前記第一送気管部の底部に、前記フィルタエレメントの他端部を保持する保持部材の端部を取付ける取付部を設けることを特徴とする請求項４記載のフィルタ用ケース。
【請求項６】  前記接続管部は、一端に前記第一開孔部に接続するフランジ部を有し、かつ他端を前記フィルタエレメントの内側に連通接続する送気管部により構成することを特徴とする請求項１記載のフィルタ用ケース。
【請求項７】  前記送気管部の他端に、前記フィルタエレメントの一端部を保持する保持部を設けるとともに、前記送気管部の内面に、前記フィルタエレメントの他端部を保持する保持部材の端部を取付ける取付部を設けることを特徴とする請求項６記載のフィルタ用ケース。
【手続補正２】
【補正対象書類名】明細書
【補正対象項目名】０００１
【補正方法】変更
【補正の内容】
【０００１】
【発明の属する技術分野】
本発明は、ハウジングの内部に筒形のフィルタエレメントを収容するためのフィルタ用ケースに関する。
【手続補正３】
【補正対象書類名】明細書
【補正対象項目名】０００２
【補正方法】変更
【補正の内容】
【０００２】
【従来の技術】
従来、密閉したハウジングの内部に筒形のフィルタエレメントを収容し、エア供給口部を通してフィルタエレメントの外側にエアを供給するとともに、フィルタエレメントの内側からエア排出口部を通してエアを排出するようにしたエアフィルタは、例えば、特開平１１−３７３２２７号公報で知られている。
【手続補正４】
【補正対象書類名】明細書
【補正対象項目名】０００７
【補正方法】変更
【補正の内容】
【０００７】
【課題を解決するための手段及び実施の形態】
本発明は、密閉したハウジング２の内部に筒形のフィルタエレメント３を収容し、エア供給口部４を通してフィルタエレメント３の外側（又は内側）にエアＡを供給するとともに、フィルタエレメント３の内側（又は外側）からエア排出口部５を通してエアＡを排出するフィルタ用ケース１を構成するに際して、一端にエア供給口部４を設け、かつ他端にエア排出口部５を設けた直管ユニットＰを、フィルタエレメント３の軸方向に対して直角に配設し、直管ユニットＰの中間部に設けた第一開孔部６を、接続管部７を介してフィルタエレメント３の内側に連通させるとともに、第一開孔部６とエア供給口部４（又はエア排出口部５）間を閉塞部８により閉塞し、かつ閉塞部８とエア供給口部４（又はエア排出口部５）間に設けた第二開孔部９を、フィルタエレメント３の外側に連通させることを特徴とする。
【手続補正５】
【補正対象書類名】明細書
【補正対象項目名】００１１
【補正方法】変更
【補正の内容】
【００１１】
図中、２はハウジングを示す。ハウジング２は、天面部２ｕｓを有する円筒形の上ハウジング２ｕと、底面部２ｄｓを有する円筒形の下ハウジング２ｄからなり、上ハウジング２ｕと下ハウジング２ｄは、例えば、ステンレス材により形成することができる。上ハウジング２ｕは、周面部２ｕｆに、左右方向に貫通する挿通孔３１ｐ，３１ｑを有するとともに、周面部２ｕｆの後側及び天面部２ｕｓの中央に、挿通孔３１ｒ及び３１ｕを有する。また、下ハウジング２ｄは、底面部２ｄｓの中央にドレイン口３２を有する。一方、上ハウジング２ｕの下端には上フランジ部３３を一体形成するとともに、下ハウジング２ｄの上端には下フランジ部３４を一体形成し、上ハウジング２ｕと下ハウジング２ｄを組付ける場合には、突き合わせた上フランジ部３３と下フランジ部３４をリングバンド３５により挟持する。したがって、ハウジング２は、エアＡの給排系を除いて密閉状態となる。
【手続補正６】
【補正対象書類名】明細書
【補正対象項目名】００１９
【補正方法】変更
【補正の内容】
【００１９】
これにより、フィルタ用ケース１の組立は終了し、この状態でフィルタエレメント３の装着を行うことができる。この場合、新規の装着であってもよいし交換時の装着であってもよい。まず、装着するフィルタエレメント３を用意し、一端部（上端部）を、図２に示すように、保持部１６ｓのリング溝部１６ｒに嵌合させる。これにより、保持ボルト１７ｂはフィルタエレメント３の中を通り、先端のネジ部１７ｎがフィルタエレメント３の下端から突出するため、このネジ部１７ｎにナット部材３８のネジ孔３８ｎを螺着する。この際、フィルタエレメント３の他端部（下端部）は、ナット部材３８のリング溝部３８ｒに嵌合させるとともに、ナット部材３８を適宜締め付けることにより、保持部１６ｓとナット部材３８間にフィルタエレメント３を保持する。そして、この後、上ハウジング２ｕの上フランジ部３３に、下ハウジング２ｄの下フランジ部３４を突き合わせ、リングバンド３５を装着することにより、上ハウジング２ｕと下ハウジング２ｄの組付けを行う。これにより、図１及び図２に示すエアフィルタＦを構成することができる。なお、フィルタエレメント３の交換を行う場合には、リングバンド３５を取外し、さらに、ナット部材３８を取外すことにより容易に行うことができる。
【手続補正７】
【補正対象書類名】明細書
【補正対象項目名】符号の説明
【補正方法】変更
【補正の内容】
【符号の説明】
１    フィルタ用ケース
２    ハウジング
３    フィルタエレメント
４    エア供給口部
５    エア排出口部
６    第一開孔部
７    接続管部
８    閉塞部
９    第二開孔部
１１  直管部
１１ｆ  周部
１２    開孔体部
１２ｆ  周部
１３    測定口部
１４    フランジ部
１５    第一送気管部
１５ｄ  底部
１５ｆ  周部
１５ｏ  通気口
１５ｃ  取付部
１６    第二送気管部
１６ｓ  保持部
１７    保持部材
１８    フランジ部
２０    送気管部
２０ｓ  保持部
２１    保持部材
２２    取付部
Ａ      エア
Ｐ      直管ユニット